(57)【要約】      （修正有）【課題】インターネットショップ上の商品は、書籍は書籍、食品は食品などとジャンル分けされ、異なるジャンルの商品には異なるインターネットショップやディレクトリ構造が必要となる。また現在のディレクトリ型検索や全文検索では、詳しい商品の内容を検索できない。またユーザが商品を閲覧した履歴情報は、一義的に生産者のために使用される。【解決手段】書籍分類の階層構造を利用した、デジタルデータとして他と区別できるすべてのものを検索するディレクトリ型検索システムと、コンテンツがデータベースのフィールドとして記録・操作される複数のＷＥＢサイトを、データベースのデータとして操作することで、インターネット上のＷＥＢサイトのコンテンツの詳細を検索する検索システムで、この課題を解決する。また商品の特徴を架空性と消費用かどうかを示す度数で表し、それを閲覧履歴として表示することでユーザが自分の性格を知るシステムで解決する。【選択図】図４
2006146684.tif 000002
【特許請求の範囲】
【請求項１】
デジタルデータとして他と区別できるすべての情報を、クライアントサーバシステムのサーバに記憶させた書籍分類ディレクトリ構造によって分類・操作する操作手段と、前記サーバで管理される複数のＷＥＢサイトのコンテンツを項目ごとに規格化し前記サーバ内のデータベースのフィールドとして登録することによって、前記サーバ内の複数のＷＥＢサイトの任意のデータをデータベースのデータとして操作する操作手段と、前記クライアントサーバシステムのクライアントとしてのＷＥＢサイト閲覧ユーザが前記データベースを検索システムとして利用する検索手段と、前記データをインターネット上の他の関連ＷＥＢサイトにリンクさせることによって、インターネット上の他の関連ＷＥＢサイトを前記ユーザが検索する検索手段とからなることを特徴とする検索システム。
【請求項２】
クライアントサーバシステムにおいて、サーバ上のインターネットショップにおける作品・商品の特徴を、「架空性が強いか現実性が強いか」を示す度数と、「消費用か生産用か」を示す度数で表し、その二つの度数を前記作品・商品のデータとしてサーバの記憶領域に記録し、前記作品・商品を閲覧したクライアントであるユーザに対し、サーバ内のそのユーザ用の記憶領域に閲覧した作品・商品の前記データを閲覧履歴として記録し、要求に応じてその閲覧履歴を前記ユーザに提示し、提示した閲覧履歴から把握できるユーザ自身の性格・傾向をユーザに伝えるシステム。
【発明の詳細な説明】
【技術分野】
【０００１】
本発明は、インターネット上のデータ検索システムに関するものである。
【背景技術】
【０００２】
従来のインターネット書店では、書籍および書籍関連のジャンルの商品だけを扱っている。
また一般のインターネットショップも、扱う商品のジャンルや出展（店）者の立場によって各ショップ自身がジャンル分けされたり、商品ジャンルごとに異なるディレクトリ構造を設けたりしている。
【０００３】
また、従来のＷＥＢサイトのコンテンツを検索する方法は、同一サーバ内のＷＥＢサイトであれ、インターネット上の他のサーバのＷＥＢサイトであれ、ほぼディレクトリ型検索か全文検索に限られる。
【非特許文献１】根元彰監修  「インターネット時代の学校図書館」東京電気大学出版局  ２００３年２月２５日発行  ｐ５４〜５７
【０００４】
また従来のインターネットショップにおける商品の選択肢は、ディレクトリ型検索で提示されるものであれば、ジャンル、名前、機能・内容の簡単な説明、値段など、通り一遍のものである。
また全文検索によるものであっても、書かれた文章の中の文言だけを検索している。
【０００５】
また、作品をユーザが検索・閲覧した履歴情報は、単にいつ誰が何をいくつ閲覧・購入したかの記録であり、また一義的には、ユーザの購買性向を知ろうとする生産者のためのデータとして利用されている。
【特許文献１】特開２０００−２４２６２６号公報
【発明の開示】
【発明が解決しようとする課題】
【０００６】
従来は、作者ジャンルや作品ジャンルごとに、また作者の営利・非営利・個人・法人などの立場ごとに、異なるインターネットショップが必要となる場合が多く、異なるジャンルを股にかけて出展（店）する者は、新たに出展（店）料を支払わなくてはならず、ユーザもサイトを移動しなくてはならない。また同じ店舗内でも書籍は書籍、電気製品は電気製品などのように商品がジャンル分けされ、サイト運営者はジャンルごとにディレクトリ構造を作らなければならない。
一方で、各ポータルサイトでは、どんなジャンルのＷＥＢサイトの作者・作品も載せることができるので、この課題は問題とはならないが、ポータルサイトが検索システムそのもので、ＷＥＢサイト作者から対価を受け取るシステムとはなっていないし、検索結果に責任があるわけでもない。
【０００７】
また、従来のインターネットショップのディレクトリ型検索では、検索する商品のニュアンスや方針、作者の国籍、性別、好みなどの詳しい内容を選択肢として設けることは、階層が深く広くなりすぎるためにできない。
インターネット上の全文検索でも、コンテンツの内容しか検索できず、そのコンテンツ自体の傾向などは、検索できない。
【０００８】
また、ユーザの商品閲覧履歴の情報は、主にユーザの購買性向を生産者が把握、利用するために使用され、ユーザ自身のデータであるにもかかわらず、一義的にユーザのために使用されることはないし、ユーザに直接役立つ情報というわけでもない。
【課題を解決するための手段】
【０００９】
この課題を解決するための請求項１の発明は、書籍の分類法にのっとった階層構造を書籍以外の分野にも転用して、書籍だけでなく、動画、音楽、物、コンテンツ、ＷＥＢサイト、システム、場所、機関、企業、仕事、人間、商品、営利用でない非商品、など、デジタルデータとして他と区別できるものすべてを検索するシステムである。
【００１０】
またデータベースのフィールドに登録できるように、内容が項目別に整理された廉価なＷＥＢサイトを提供することによって、一つのサーバ内の複数のＷＥＢサイトのどの内容も、データベースのフィールド別データとして操作・検索することが可能になるシステムである。
【００１１】
また前記ＷＥＢサイトの内容を、インターネット上の他の関連ＷＥＢサイトにリンクさせ、ユーザが検索システムとして使用することによって、ユーザがインターネット上の他の関連ＷＥＢサイトを検索する検索システムである。
【００１２】
請求項２の発明は、作品の特徴を、「架空性が強いか現実性が強いか」を示す度数と、「消費用か生産用か」を示す度数で表し、それをその作品を閲覧したユーザの履歴としてサーバに記憶させ、二つの度数を表す座標軸が作る座標平面上にプロットし、ユーザの履歴表示領域に表示することによって、ユーザが作品を閲覧すればするほど、前記二つの度数に関するユーザの性向をユーザ自身が知ることができるようにするシステムである。
【００１３】
ここでは、作品・商品を載せたＷＥＢサイトをインターネットショップＷＥＢサイトに登録する者を作者・出展（店）者といい、作品・商品を閲覧する者をユーザという。
【００１４】
また、書籍分類とは、各書店で実施されている書籍の分類であり、図書館で行われている図書の分類も含まれる。
【発明の効果】
【００１５】
本発明により、種々・複数のジャンルと立場の作品・作者を、一つのインターネットショップ内の一つの書籍分類のディレクトリ構造で表示でき、インターネットショップの運営者が新商品のために新ジャンルのディレクトリ構造を作ったり、出展（店）者がいくつもの異なるジャンルのサイトに出展（店）したり、ユーザが作品のジャンルごとにインターネットショップやディレクトリ構造を移動したり、異なるショップで何度も登録したりする必要がなくなる。
【００１６】
またユーザは、従来のディレクトリ型検索と全文検索ではできなかった詳しい検索を、同一サーバ内およびインターネット上の他のサーバの、ＷＥＢサイトのコンテンツに対して行えるようになる。
【００１７】
またユーザは、作品を閲覧した、自分の消費性向に関する意味のある記録を自分自身のために使用できるので、閲覧する行為自体に価値が生じる。したがって、目的もなく好みに応じて閲覧するだけのユーザにも役に立ち、閲覧回数が増えていくシステムである。
【発明を実施するための最良の形態】
【００１８】
ジャンルを問わない作品群について、ディレクトリ型検索や全文検索だけではできない詳しい内容の検索をし、さらに検索して閲覧した結果がユーザによるユーザ自身の分析に役立つようにするという目的を、対価を得る形で実現した。
【実施例】
【００１９】
図１は本発明の一実施例を示す書籍分類ディレクトリの構造であり、大分類・中分類・小分類に分かれている。
【００２０】
図２は図１の小分類「光学」において、さらに「ジャンル＝書籍・作者・関連商品・助言をできる人」に分類した一例である。こうすることで、書籍のディレクトリ構造でありながら、書籍以外の関連した様々なジャンルの作品や作者にもアクセスできる。この作者や作品は、さらにインターネット上の他の関連ＷＥＢサイトにリンクさせることもできる。
【００２１】
図３は、図２のジャンル「関連商品」を、さらに機能優先かデザイン優先かの検索項目で切り替える必要がある場合の項目の一例である。図２、図３のような検索項目は規格化され、データベースのフィールドに登録されているので、ユーザはその検索項目に沿って、このように細かく検索できる。
【００２２】
また書籍の特徴を、「架空性」を示す度数と、「消費用かどうか」を示す度数で表し、その書籍を閲覧した読者の好みを読者の履歴として座標平面上に表した一例が図４である。図４は、読者の第一の度数が低く、第二の度数が高い傾向にあることを示している。
【産業上の利用可能性】
【００２３】
本発明に関わるシステムは、インターネット上の商品やＷＥＢサイトの詳しく効率的な検索を可能にし、検索自体を楽しくすることが可能であるため、産業上の利用可能性を有する。
【図面の簡単な説明】
【００２４】
【図１】書籍分類ディレクトリの一実施例を示した図である。
【図２】書籍分類ディレクトリの中の小分類「光学」でジャンルの切り替えを行う実施例を示した説明図である。
【図３】ジャンル別にさらに詳しく検索してゆく実施例を示した説明図である。
【図４】読者の性向を表現する実施例の図である。
【符号の説明】
【００２５】
１    書籍の大分類
２    書籍の中分類
３    書籍の小分類
４    ジャンル
５    検索結果である作品または作者
６    ジャンル「関連商品」をさらに分類した項目の例
７    架空性と消費の度数を表した座標平面上のポイント
【図１】
2006146684.tif 000003
【図２】
2006146684.tif 000004
【図３】
2006146684.tif 000005
【図４】
2006146684.tif 000006